(57)【要約】【課題】金型の作製コストの低減と製品開発スケジュールの短縮が図れ、且つ生産コストも低減すること。【解決手段】少なくとも二つの裏レールユニットを組合って構成され、前記各裏レールユニットはリニアガイドウェーのスライダに平行するロッドを有し、各裏レールユニットが前記スライダの収容空間内に移動可能に収容され、前記スライダ内に設けた多数列の転がり体に応じて、前記各裏レールユニットには保持面が多数に形成され、多数列の前記転がり体が前記保持面に支持され、前記各裏レールユニットを一体に連結するために、前記各裏レールユニットのロッドの一端には接合部が少なくとも一つ形成してあり、他端には係合部が少なくとも一つ形成してあり、前記接合部と前記係合部との係合により、複数の前記裏レールユニットが脱着自在に互いに結合して一つの裏レールに構成する。【選択図】図３
0003121911.tif 000002
【実用新案登録請求の範囲】
【請求項１】
少なくとも二つの裏レールユニットを組合って構成され、
前記各裏レールユニットはリニアガイドウェーのスライダに平行するロッドを有し、
前記ロッドの断面積が前記リニアガイドウェーの断面積よりも小さく、
各裏レールユニットが前記スライダの収容空間内に移動可能に収容され、
前記スライダ内に設けた多数列の転がり体に応じて、前記各裏レールユニットには保持面が多数に形成され、
多数列の前記転がり体が前記保持面に支持され、
前記各裏レールユニットを一体に連結するために、前記各裏レールユニットのロッドの一端には接合部が少なくとも一つ形成してあり、他端には係合部が少なくとも一つ形成してあり、
前記接合部と前記係合部との係合により、複数の前記裏レールユニットが脱着自在に互いに結合して一つの裏レールに構成可能であることを特徴とする、
リニアガイドウェー用組合せ式裏レール。
【請求項２】
前記各裏レールユニットに設けた保持面は、ボール形状の転がり体に対応する円弧面に形成したことを特徴とする、請求項１に記載のリニアガイドウェー用組合せ式裏レール。
【請求項３】
前記各裏レールユニットに設けた保持面は、円柱形状の転がり体に対応するフラット面に形成したことを特徴とする、請求項１に記載のリニアガイドウェー用組合せ式裏レール。
【請求項４】
更に、前記裏レールの最も外寄りの各裏レールユニットの端部にストッパーを一つ組付けてもよく、前記ストッパーの一端には接合部が少なくとも一つ形成してあり、他端には係合部が少なくとも一つ形成してあり、前記各裏レールユニットの接合部または係合部に前記ストッパーの係合部または接合部を脱着自在に互いに結合するとそれらが一体になることを特徴とする、請求項１に記載のリニアガイドウェー用組合せ式裏レール。
【請求項５】
前記各裏レールユニットの一端に設けた接合部は凹部であり、他端に設けた係合部は凸部であることを特徴とする、請求項１に記載のリニアガイドウェー用組合せ式裏レール。
【請求項６】
前記各裏レールユニットの接合部を有する一端には係合部を少なくとも一つ設けてもよく、前記各裏レールユニットの係合部を有する一端には接合部を少なくとも一つ設けてもいいことを特徴とする、請求項１に記載のリニアガイドウェー用組合せ式裏レール。
【請求項７】
前記各裏レールユニットは金属材料で作製されたものであることを特徴とする、請求項１に記載のリニアガイドウェー用組合せ式裏レール。
【請求項８】
前記各裏レールユニットは樹脂材料で作製されたものであることを特徴とする、請求項１に記載のリニアガイドウェー用組合せ式裏レール。
【考案の詳細な説明】
【技術分野】
【０００１】
本考案は、リニアガイドウェー用組合せ式裏レールに係り、特に、各種類のリニア伝動部材に適用され、レールに異なる長さのスライダを脱着している際に転がり体がスライダから離脱することを回避できるリニアガイドウェー用組合せ式裏レールに関するものである。
【背景技術】
【０００２】
図１と図２に示すように、一般的に、レール１２にリニアガイドウェー１のスライダ１１を脱着する際に転がり玉１３がスライダ１１から離脱し易い。転がり玉１３がスライダ１１から離脱しないようにするために、裏レール１４を使用することが必要になる。特に、従来の裏レール１４（米国特許第６，１５８，８９０号を参照）は、弾性体で作製されたロッドであり、前記ロッドの軸方向には円弧面１４１が多数に設けてあるので、転がり玉１３が各円弧面１４１に支持される。これにより、レール１２にスライダ１１を脱着する際に転がり玉１３がスライダ１１から離脱しなくなる。従来の裏レール１４は、全て単一の寸法を有し、又は大、中、小など三つのサイズを有するだけである。すなわち、その設計は延び性がなく、そのため、スライダ１１の長さが変化する場合には、スライダ１１に合わせる裏レール１４の長さがスライダ１１の長さに対応できないと、裏レール１４を新たに作製するする必要がある。すなわち、短いスライダ１１に長い裏レール１４を合わせることはできるが、材料は無駄になるし、長いスライダ１１に短い裏レール１４を合わせることは全体として使用不能になる。別の金型を作製する必要があるが、金型の作製コストが高くなり、且つ製品の開発スケジュールも長く延びる。
【考案の開示】
【考案が解決しようとする課題】
【０００３】
本考案の主な目的は、裏レールを脱着自在な組合せ式裏レールユニットの構造に改良し、リニアガイドウェーのスライダの長さに応じて、組合せ式裏レールユニットを組合せて適正の長さを持ち一体化になった裏レールを構成することにより、別の金型を作製することが必要なくになるので、金型の作製コストは低減になり、且つ製品開発スケジュールを短縮することもできるリニアガイドウェー用組合せ式裏レールを提供することにある。
【課題を解決するための手段】
【０００４】
上記目的を達成するためになされた本願の第１考案は、少なくとも二つの裏レールユニットを組合って構成され、前記各裏レールユニットはリニアガイドウェーのスライダに平行するロッドを有し、前記ロッドの断面積が前記リニアガイドウェーの断面積よりも小さく、各裏レールユニットが前記スライダの収容空間内に移動可能に収容され、また、前記スライダ内に設けた多数列の転がり体に応じて、前記各裏レールユニットには保持面が多数に形成され、多数列の前記転がり体が前記保持面に支持される。前記各裏レールユニットを一体に連結するために、前記各裏レールユニットのロッドの一端には接合部が少なくとも一つ形成してあり、他端には係合部が少なくとも一つ形成してあり、前記接合部と前記係合部との係合により、複数の前記裏レールユニットが脱着自在に互いに結合して一つの裏レールに構成可能であることを特徴とするリニアガイドウェー用組合せ式裏レールであることを要旨としている。
【０００５】
本願の第２考案では、前記各裏レールユニットに設けた保持面は、ボール形状の転がり体に対応する円弧面に形成したことを特徴とする前記第１考案に記載のリニアガイドウェー用組合せ式裏レールであることを要旨としている。
【０００６】
本願の第３考案では、前記各裏レールユニットに設けた保持面は、円柱形状の転がり体に対応するフラット面に形成したことを特徴とする前記第１考案に記載のリニアガイドウェー用組合せ式裏レールであることを要旨としている。
【０００７】
本願の第４考案では、更に、前記裏レールの最も外寄りの各裏レールユニットの端部にストッパーを一つ組付けてもよく、前記ストッパーの一端には接合部が少なくとも一つ形成してあり、他端には係合部が少なくとも一つ形成してあり、前記各裏レールユニットの接合部または係合部に前記ストッパーの係合部または接合部を脱着自在に互いに結合するとそれらが一体になることを特徴とする前記第１考案に記載のリニアガイドウェー用組合せ式裏レールであることを要旨としている。
【０００８】
本願の第５考案では、前記各裏レールユニットの一端に設けた接合部は凹部であり、他端に設けた係合部は凸部であることを特徴とする前記第１考案に記載のリニアガイドウェー用組合せ式裏レールであることを要旨としている。
【０００９】
本願の第６考案では、前記各裏レールユニットの接合部を有する一端には係合部を少なくとも一つ設けてもよい。前記各裏レールユニットの係合部を有する一端には接合部を少なくとも一つ設けてもいいことを特徴とする前記第１考案に記載のリニアガイドウェー用組合せ式裏レールであることを要旨としている。
【００１０】
本願の第７考案では、前記各裏レールユニットは金属材料で作製されたものであることを特徴とする前記第１考案に記載のリニアガイドウェー用組合せ式裏レールであることを要旨としている。
【００１１】
本願の第８考案では、前記各裏レールユニットは樹脂材料で作製されたものであることを特徴とする前記第１考案に記載のリニアガイドウェー用組合せ式裏レールであることを要旨としている。
【考案の効果】
【００１２】
本考案に係るリニアガイドウェー用組合せ式裏レールによれば、次のような効果がある。
【００１３】
（１）裏レールを脱着自在な組合せ式裏レールユニットの構造に改良し、リニアガイドウェーのスライダの長さに応じて、組合せ式裏レールユニットを組合せて適正の長さを持ち一体化になった裏レールを構成することにより、別の金型を作製することが必要なくになるので、金型の作製コストを低減できると共に製品開発スケジュールを短縮することもできる。
【００１４】
（２）裏レールユニットは金属または樹脂で一体に作製されたものであるので、一つの金型で大量生産することが可能になり、生産コストを低減できる。
【００１５】
（３）裏レールの最も外寄りの各裏レールユニットの端部にストッパーを一つ組付けることにより、スライダの収容空間内に収容される裏レールはスライダから離脱しなくなる。
【考案を実施するための最良の形態】
【００１６】
以下、添付図面を参照して本考案の好適な実施の形態を詳細に説明する。
【００１７】
まず、図３と図４に示すのは本考案に係るリニアガイドウェー用組合せ式裏レールであって、リニアガイドウェーは、一つのスライダ２１と、多数列の転がり体２２と、一つのレールとから構成された伝動部材である。
【００１８】
また、組合せ式裏レール３の機能は、レール２３に異なる長さを持つスライダ２１を脱着している際に多数列の転がり体２２がスライダ２１から離脱することを防止可能である。組合せ式裏レール３は、基本的に、少なくとも二つの裏レールユニット３１を組合って構成される。前記各裏レールユニット３１は、金属または樹脂で一体に作製されたものである。リニアガイドウェー２のスライダ２１に平行するロッド３１１を有する。前記ロッド３１１の断面積が前記リニアガイドウェー２の断面積よりも小さい。各裏レールユニット３１が前記スライダ２１の収容空間２１１内に移動可能に収容される。また、前記スライダ２１内に設けた多数列の転がり体２２に応じて、前記各裏レールユニット３１には保持面３１２が多数に形成される。多数列の前記転がり体２２が前記保持面３１２に支持される。
また、図５Ａと図５Ｂに示すように、前記各裏レールユニット３１を一体に連結するために、前記各裏レールユニット３１のロッド３１１の一端には接合部３１３が少なくとも一つ形成してあり（本実施例では、二つを例示）、他端には係合部３１４が少なくとも一つ形成してあ（本実施例では、二つを例示）る。隣接する各裏レールユニット３１の前記接合部３１３と前記係合部３１４との係合により、複数の前記裏レールユニット３１が脱着自在に互いに結合して一つの裏レールを構成する。
【００１９】
特に、本考案に係るリニアガイドウェー用組合せ式裏レールの長さは、転がり体２２の構造に応じて変化可能である。各裏レールユニット３１に設けた保持面３１２は、図４に示すように、円柱形状の転がり体２２に対応するフラット面に形成してもよいし、各裏レールユニット４１に設けた保持面４１１は、図６に示すように、ボール形状の転がり体４０に対応する円弧面に形成してもよい。
【００２０】
また、各裏レールユニット３１，４１の互いの連結は、図５Ａ、図５Ｂ、図７Ａと図７Ｂに示すように、各裏レールユニット３１，４１の一端に設けた接合部３１３，４１３の構造は凹部であり、他端に設けた係合部３１４，４１４の構造は凸部であり、凹部と凸部の嵌合により裏レールユニット３１，４１の脱着は自在で快速になる。
【００２１】
図８と図９に示すのは本考案に係るリニアガイドウェー用組合せ式裏レールであって、更に、裏レール３の最も外寄りの各裏レールユニット３１の端部にストッパー５を一つ組付けてもよい。前記ストッパー５の一端には接合部（図示せず）が少なくとも一つ形成してある。他端には係合部５１が少なくとも一つ形成してあり、前記各裏レールユニット３１の接合部３１３または係合部３１４に前記ストッパー５の係合部５１または接合部を脱着自在に互いに結合すると、それらが一体になる。
【００２２】
また、図１０に示すのは本考案に係る組合せ式裏レール６の更に別の実施例であって、上記の実施例との異なる箇所は、前記各裏レールユニット６１の接合部（図示せず）を有する一端には係合部６１１を少なくとも一つ設けてもよい。また、前記各裏レールユニット６１の係合部６１２を有する一端には接合部６１３を少なくとも一つ設けてもよい。すなわち、本実施例で示すように、各裏レールユニット６１の両端には接合部と係合部がそれぞれ二つ設けてあり、前記接合部と係合部の嵌合により隣接する裏レールユニット６１が一体になる。そのため、裏レールの全長は変化自在である。勿論、前記裏レールの最も外寄りの各裏レールユニット６１の端部に組付けたストッパー７の両端にも接合部７１と係合部７２，７３がそれぞれ二つ設けてある。
【図面の簡単な説明】
【００２３】
【図１】従来の裏レールをリニアガイドウェーに組付けた使用状態を示す斜視図である。
【図２】従来の裏レールをリニアガイドウェーに組付けた使用状態を示す断面図である。
【図３】本考案の組合状態を示す斜視図である。
【図４】本考案の断面図である。
【図５Ａ】本考案に係る組合せ式裏レールの分解斜視図である。
【図５Ｂ】本考案に係る組合せ式裏レールの平面図である。
【図６】本考案に係る組合せ式裏レールの別の実施例を示す断面図である。
【図７Ａ】本考案に係る組合せ式裏レールの別の実施例を示す分解斜視図である。
【図７Ｂ】本考案に係る組合せ式裏レールの別の実施例を示す平面図である。
【図８】本考案に係る組合せ式裏レールの両側にストッパーをそれぞれ一つ増設した状態を示す分解斜視図である。
【図９】本考案に係る組合せ式裏レールの両側にストッパーをそれぞれ一つ増設した組合状態を示す斜視図である。
【図１０】本考案に係る組合せ式裏レールの更に別の実施例を示す分解斜視図である。
【符号の説明】
【００２４】
１        リニアガイドウェー          １１      スライダ
１２      レール                      １３      転がり玉
１４      裏レール                    １４１    円弧面
２        リニアガイドウェー          ２１      スライダ
２１１    収容空間                    ２２      転がり体
２３      レール                      ３        組合せ式裏レール
３１      裏レールユニット            ４１１    保持面
４１３    接合部                      ４        組合せ式裏レール
４０      転がり体                    ４１      裏レールユニット
４１１    保持面                      ４１３    接合部
４１４    係合部                      ５        ストッパー
５１      係合部                      ６        組合せ式裏レール
６１      裏レールユニット            ６１１    係合部
６１２    係合部                      ６１３    接合部
７        ストッパー                  ７１      接合部
７２      係合部                      ７３      係合部
【図１】
0003121911.tif 000003
【図２】
0003121911.tif 000004
【図３】
0003121911.tif 000005
【図４】
0003121911.tif 000006
【図５Ａ】
0003121911.tif 000007
【図５Ｂ】
0003121911.tif 000008
【図６】
0003121911.tif 000009
【図７Ａ】
0003121911.tif 000010
【図７Ｂ】
0003121911.tif 000011
【図８】
0003121911.tif 000012
【図９】
0003121911.tif 000013
【図１０】
0003121911.tif 000014